(57)【要約】  本発明は、無線基地局とＵＥとの間のＲＲＣ手順の再構成を同期させるための改良された手順に関連する。この改良は、ＵＥによって使用されるべき新しい構成を、追加的なＵＥ識別子と関連づけることによって実現される。ＵＥは通常は第１のＵＥ識別子によって識別されるが、再構成メッセージにおいてＵＥが追加的なＵＥ識別子を有することが通知される。新しい構成が作動する場合には、ＵＥは追加的なＵＥ識別子によって識別される。よって、無線基地局が、追加的なＵＥ識別子を含む要求に対するＵＥからの応答を検出すると、無線基地局はＵＥが新しい構成を作動させたと判定できる。【選択図】図２
2011511552.tif 000002
【特許請求の範囲】
【請求項１】
ユーザ機器（ＵＥ）及び無線基地局において無線リソースの再構成を作動させるための、該無線基地局における方法であって、再構成が行われる前記ユーザ機器は、第１のＵＥ識別子によって識別可能であり、
前記ユーザ機器によって使用されるべき新しい構成を指示するための再構成メッセージであって、前記ユーザ機器のための識別子であって前記新しい構成と関連づけられた識別子である第２のＵＥ識別子を含む再構成メッセージを送信する工程と、
前記新しい構成を作動させる工程と、
前記ユーザ機器が前記第２のＵＥ識別子によって識別可能である旨の通知を受信する工程と、
前記ユーザ機器が前記第２のＵＥ識別子によって識別可能である旨の通知を受信した場合に、前記ユーザ機器が前記新しい構成において送受信を開始する準備が整っていると判断する工程と
を備えることを特徴とする方法。
【請求項２】
前記通知を受信する工程は、
前記ユーザ機器に対して、少なくとも前記第２のＵＥ識別子を利用してスケジューリング・コマンドを送信する工程と、
前記第２のＵＥ識別子を伴う前記スケジューリング・コマンドに対する応答を受信する工程と
を含むことを特徴とする請求項１に記載の方法。
【請求項３】
前記ユーザ機器に対して、少なくとも前記第２のＵＥ識別子を利用してスケジューリング・コマンドを送信する工程は、前記再構成メッセージに対する確認応答を前記ユーザ機器から前記無線基地局が受信した場合に実行されることを特徴とする請求項２に記載の方法。
【請求項４】
前記ユーザ機器に対して、前記第２のＵＥ識別子を利用してスケジューリング・コマンドを送信する工程は、前記再構成メッセージに対する確認応答を前記ユーザ機器から前記無線基地局が受信してから所定時間が経過した後に実行されることを特徴とする請求項３に記載の方法。
【請求項５】
前記再構成メッセージは、前記ユーザ機器に対する、前記再構成と関連するユーザ機器主導の手順の実行要求を含み、
前記通知を受信する工程は、
前記ユーザ機器主導の手順が始まったことの通知を検出する工程
を含むことを特徴とする請求項１乃至４のいずれか１項に記載の方法。
【請求項６】
前記ユーザ機器主導の手順は、ランダムアクセス手順であることを特徴とする請求項５に記載の方法。
【請求項７】
前記再構成は、無線リソース制御プロトコル・メッセージにおいて送信されることを特徴とする請求項１乃至６のいずれか１項に記載の方法。
【請求項８】
前記第１のＵＥ識別子及び第２のＵＥ識別子は、無線ネットワーク一時識別子によって、それぞれ表されることを特徴とする請求項１乃至６のいずれか１項に記載の方法。
【請求項９】
無線リソースの再構成をユーザ機器及び無線基地局において作動させるための、該ユーザ機器（ＵＥ）における方法であって、再構成が行われる前記ユーザ機器は、第１のＵＥ識別子によって識別可能であり、
前記ユーザ機器によって使用されるべき新しい構成を指示するための再構成メッセージであって、前記ユーザ機器のための識別子であって前記新しい構成と関連づけられた識別子である第２のＵＥ識別子を含む再構成メッセージを受信する工程と、
前記新しい構成を作動させる工程と、
前記ユーザ機器が前記第２のＵＥ識別子によって識別可能である旨を前記無線基地局に通知する工程と、
を備えることを特徴とする方法。
【請求項１０】
前記通知する工程は、
スケジューリング・コマンドを受信する工程と、
前記スケジューリング・コマンドに対する応答を送信する工程と
を含み、
前記ユーザ機器は少なくとも前記第２のＵＥ識別子により識別されることを特徴とする請求項９に記載の方法。
【請求項１１】
前記再構成メッセージは、前記ユーザ機器に対する、前記再構成と関連するユーザ機器主導の手順の実行要求を含み、
前記通知する工程は、
前記再構成と関連づけられた前記ユーザ機器主導の手順を開始する工程
を含むことを特徴とする請求項９または１０に記載の方法。
【請求項１２】
前記ユーザ機器主導の手順は、ランダムアクセス手順であることを特徴とする請求項１１に記載の方法。
【請求項１３】
前記再構成は、無線リソース制御プロトコル・メッセージにおいて受信されることを特徴とする請求項９乃至１２のいずれか１項に記載の方法。
【請求項１４】
前記第１のＵＥ識別子及び第２のＵＥ識別子は、無線ネットワーク一時識別子によって、それぞれ表されることを特徴とする請求項９乃至１３のいずれか１項に記載の方法。
【請求項１５】
ユーザ機器（ＵＥ）及び無線基地局において無線リソースの再構成を作動させるための、該無線基地局であって、再構成が行われる前記ユーザ機器は、第１のＵＥ識別子によって識別可能であり、
前記ユーザ機器によって使用されるべき新しい構成を指示するための再構成メッセージであって、前記ユーザ機器のための識別子であって前記新しい構成と関連づけられた識別子である第２のＵＥ識別子を含む再構成メッセージを送信する送信器と、
前記新しい構成を作動させるプロセッサユニットと、
前記ユーザ機器が前記第２のＵＥ識別子によって識別可能である旨の通知を受信する受信器と、
前記ユーザ機器が前記第２のＵＥ識別子によって識別可能である旨の通知を受信した場合に、前記ユーザ機器が前記新しい構成において送受信を開始する準備が整っていると判断するプロセッサユニットと
を備えることを特徴とする無線基地局。
【請求項１６】
前記送信器は、前記ユーザ機器に対して、少なくとも前記第２のＵＥ識別子を利用してスケジューリング・コマンドを送信するように更に構成され、
前記受信器は、前記第２のＵＥ識別子を伴う前記スケジューリング・コマンドに対する応答を受信するように更に構成されている
ことを特徴とする請求項１５に記載の無線基地局。
【請求項１７】
前記送信器は、前記再構成メッセージに対する確認応答を前記ユーザ機器から前記無線基地局が受信した場合に、前記ユーザ機器に対して、前記第２のＵＥ識別子を利用してスケジューリング・コマンドを送信するように更に構成されていることを特徴とする請求項１６に記載の無線基地局。
【請求項１８】
前記送信器は、前記再構成メッセージに対する確認応答を前記ユーザ機器から前記無線基地局が受信してから所定時間が経過した後に、前記ユーザ機器に対して、少なくとも前記第２のＵＥ識別子を利用してスケジューリング・コマンドを送信するように更に構成されていることを特徴とする請求項１７に記載の無線基地局。
【請求項１９】
前記再構成メッセージは、前記ユーザ機器に対する、前記再構成と関連するユーザ機器主導の手順の実行要求を含み、
前記受信器は、前記ユーザ機器主導の手順が始まったことの通知を検出するように構成されていることを特徴とする請求項１５乃至１８のいずれか１項に記載の無線基地局。
【請求項２０】
前記ユーザ機器主導の手順は、ランダムアクセス手順であることを特徴とする請求項１９に記載の無線基地局。
【請求項２１】
前記再構成は、無線リソース制御プロトコル・メッセージにおいて送信されることを特徴とする請求項１５乃至２０のいずれか１項に記載の無線基地局。
【請求項２２】
前記第１のＵＥ識別子及び第２のＵＥ識別子は、無線ネットワーク一時識別子によって、それぞれ表されることを特徴とする請求項１５乃至２１のいずれか１項に記載の無線基地局。
【請求項２３】
無線リソースの再構成をユーザ機器及び無線基地局において作動させるための、該ユーザ機器（ＵＥ）であって、再構成が行われる前記ユーザ機器は、第１のＵＥ識別子によって識別可能であり、
前記ユーザ機器によって使用されるべき新しい構成を指示するための再構成メッセージであって、前記ユーザ機器のための識別子であって前記新しい構成と関連づけられた識別子である第２のＵＥ識別子を含む再構成メッセージを受信する受信器と、
前記新しい構成を作動させるプロセッサユニットと、
前記ユーザ機器が前記第２のＵＥ識別子によって識別可能である旨を前記無線基地局に通知する送信器と、
を備えることを特徴とするユーザ機器。
【請求項２４】
前記受信器は、スケジューリング・コマンドを受信するように更に構成され、
前記送信器は、前記スケジューリング・コマンドに対する応答を送信するように更に構成され、
前記ユーザ機器は少なくとも前記第２のＵＥ識別子により識別されることを特徴とする請求項２３に記載のユーザ機器。
【請求項２５】
前記再構成メッセージは、前記ユーザ機器に対する、前記再構成と関連するユーザ機器主導の手順の実行要求を含み、
前記プロセッサユニットは、前記再構成と関連づけられた前記ユーザ機器主導の手順を開始するように更に構成されていることを特徴とする請求項２３または２４に記載のユーザ機器。
【請求項２６】
前記ユーザ機器主導の手順は、ランダムアクセス手順であることを特徴とする請求項２５に記載のユーザ機器。
【請求項２７】
前記再構成は、無線リソース制御プロトコル・メッセージにおいて受信されることを特徴とする請求項２３乃至２６のいずれか１項に記載のユーザ機器。
【請求項２８】
前記第１のＵＥ識別子及び第２のＵＥ識別子は、無線ネットワーク一時識別子によって、それぞれ表されることを特徴とする請求項２３乃至２７のいずれか１項に記載のユーザ機器。
【発明の詳細な説明】
【技術分野】
【０００１】
本発明は、移動体通信ネットワークのための方法及び装置に関する。また、本発明は、無線リソース制御手続の同期に関する。
【背景技術】
【０００２】
ＵＴＲＡＮ（Universal Terrestrial Radio Access Network）は、ＵＭＴＳ（Universal Mobile Telecommunications System）の無線接続ネットワークを識別する用語であり、そこでは、ＵＴＲＡＮは、無線ネットワーク制御装置（ＲＮＣ）及びノードＢ（即ち、無線基地局）で構成される。ノードＢは、移動体ユーザ機器（ＵＥ）と無線で通信し、ＲＮＣはノードＢを制御する。ＲＮＣは更に、コア・ネットワーク（ＣＮ）に接続される。Ｅ−ＵＴＲＡＮ（Evolved-UTRAN）は、高データレート、低レイテンシ及びパケット最適化がなされた無線接続ネットワークへの、ＵＴＲＡＮの発展系である。更に、Ｅ−ＵＴＲＡＮは、無線基地局（eNB）を有し、ｅＮＢ同士は相互接続されると共に、ＥＰＣ(Evolved Packet Core Network)に接続される。Ｅ−ＵＴＲＡＮはまた、ＬＴＥ（Long Term Evolution）とも呼ばれ、３ＧＰＰ(3rd Generation Partnership Project)内で標準化されている。
【０００３】
無線リソース制御プロトコル（ＲＲＣ：ＴＳ ３６．３３１において定義）は、ＵＥの低レイヤの構成・再構成に関与するシグナリング・プロトコルである。これらの低レイヤは、物理レイヤ、媒体アクセス制御（ＭＡＣ）、無線リンク制御プロトコル（ＲＬＣ）及びパケット・データ・コンバージェンス・プロトコル（ＰＤＣＰ）を含む。ＲＲＣは、また、例えば、ＵＥ測定値の構成・再構成に関与している。ＲＲＣプロトコルはまた、接続モードの移動性を支配している。ＲＲＣプロトコルは、ｅＮＢ及びＵＥのそれぞれにおいて終了する。
【０００４】
ＲＲＣ仕様は、いくつかの機能及び手順を含む。１つの機能は、図１に示すように、ＵＥの再構成に関連する。
【０００５】
この手順では、Ｅ−ＵＴＲＡＮ内のｅＮＢが、ＵＥに対して送信される再構成メッセージを発行する。当該メッセージの受信に成功し、再構成手順が成功裏に完了すると、ＵＥは再構成メッセージにおいて指示されたパラメータ及び機能を再構成し、完了メッセージによりｅＮＢに応答する。再構成メッセージは、数多くの様々な内容を含むことができ、そこには、Ｌ１、ＭＡＣ、ＲＬＣ、ＰＤＣＰ或いは測定パラメータを含むことができる。ハンドオーバを同一メッセージにおいて命令してもよい。
【０００６】
共有チャネル上でのスケジューリングされた送信では、スケジューリング・コマンドがどのＵＥに対するものであるかを識別するために、スケジューリングされた送信のＵＥ識別子が、アウトバウンドの制御チャネル（ＵＴＲＡＮダウンリンクではＨＳ−ＳＣＣＨ、Ｅ−ＵＴＲＡＮではＰＤＣＣＨ）上で伝達されなければならない。ＵＴＲＡＮ及びＥ−ＵＴＲＡＮでは、この識別子は明示的には送信されないが、黙示的にＣＲＣ計算値及びＨＳ−ＳＣＣＨチャネル符号化に含められる。
【０００７】
上述の識別子は、単一のＵＥがスケジューリングされる場合のみ、ＵＥに対して一意でなければならない。ＵＴＲＡＮでは、このダウンリンク（ＨＳ−ＤＳＣＨ）識別子はＨＳ−ＲＮＴＩと呼ばれ、その一方でアップリンク（Ｅ−ＤＣＨ）スケジューリングがＥ−ＲＮＴＩ（ＲＮＴＩ−Radio Network Temporary Identity（無線ネットワーク一時識別子））に基づく。ＬＴＥでは、一意のＵＥ識別子についての現在の省略表現はＣ−ＲＮＴＩであり、ここで“Ｃ”は、このＵＥ識別子がセル内でＵＥについて一意であることを反映している。ＵＥは、いくつかのそのような識別子と関連づけられたスケジューリング・コマンドに従ってもよい。
【０００８】
ＬＴＥでは、スケジューリングはアップリンク及びダウンリンクの両方において、ｅＮＢの管轄である。
【０００９】
・ダウンリンク（ＤＬ）では、正しいＵＥがデータを正確にデコードできるようにするために、ＰＤＣＣＨ上の情報は、ＤＬ−ＳＣＨ上のデータと並列に送信される。
【００１０】
・アップリンク（ＵＬ）では、ＵＥがデータを正確にエンコードし、送信できるようにするために、ＰＤＣＣＨ上の情報は、ＵＥがデータをＵＬ−ＳＣＨ上で送信すべきイベントよりも前に送信される。
【００１１】
上述のデータの受信に成功するために、２つのピア（ＵＥ及びｅＮＢ）は、互換性のある構成を有していることが重要である。
【００１２】
ＵＥとｅＮＢとの間の通信では、２つのピアが互換性のある構成を有していること、即ち、送信器及び受信器が、全てのプロトコルレベルで互換性のある通信方式を使用していることが、しばしば非常に重要となる。よって、ＵＥとｅＮＢとが、同時に新しい再構成を使用することが重要、或いは、少なくとも望ましい。
【００１３】
上述のＲＲＣ再構成メッセージは、送信エラーをもたらす高速フェージングや低速フェージングといったように、リンク品質が大きく変化するところのエア・インタフェースを介して送信される点に注意すべきである。よって、再構成メッセージが紛失したり、或いは、より低いレイヤプロトコルによる再送信により遅延が生ずることがある。ＬＴＥ ＲＬＣは、ＡＲＱ（自動再送要求）をサポートし、ＬＴＥ ＭＡＣはそのような送信エラーからの復帰のためにハイブリッドＡＲＱをサポートする。
【００１４】
このように、ｅＮＢは、ＵＥがいつ新しい構成を使い始めたかを正確に知ることは困難かもしれない。また、ＡＲＱやＨＡＲＱフィードバックでは、送信エラーを生ずることがある点にも注意すべきであり、そのような指示のみが、ＵＥがいつＲＲＣ接続再構成メッセージの受信に成功するかの手がかりを与えてくる。メッセージ内で指示された再構成手順を完了させるためにＵＥが必要とする処理時間が不確定であることは、ＵＥが、ある構成から別の構成に切り替える準備をいつ整えたかの不確定性を増大させるであろう。いつ再構成が完了したかのタイミングが不確定である点について、図１では点線ボックスで示している。
【００１５】
特定の例では、ｅＮＢがレイヤ１ＭＩＭＯ再構成を発行した場合を考慮する。ここでは、ＵＥは現在、例えば、送信ダイバーシチで物理ダウンリンク共有チャネル（ＰＤＳＣＨ）を受信するように構成されている。しかしながら、空間多重化のためにＰＤＳＣＨを再構成することが望まれる。利用可能なＭＩＭＯ手法のセットのうちの１つに対して構成されたＵＥが、送信器（ｅＮＢ）が異なる手法を利用している場合に、ＰＤＳＣＨを受信することができないことは明らかであろう。よって、もしＰＤＳＣＨの再構成が非同期であれば、ＵＥとｅＮＢとの間の接続が失われる危険がある。
【００１６】
例えば、重要なＬ１再構成を含むＤＬ ＲＲＣ接続再構成メッセージの送信の間に、ＨＡＲＱフィードバック・エラーが発生した場合を考える。ＨＡＲＱフィードバックエラーは、ＨＡＲＱ送信器が、受信器から受信したフィードバックを誤って解釈した場合を定義する。
【００１７】
否定応答（ＮＡＣＫ）が、ｅＮＢにより肯定応答（ＡＣＫ）として解釈された場合を考える。このようなエラーは、ＮＡＣＫ−ｔｏ−ＡＣＫエラーと呼ばれる。
【００１８】
この場合、ｅＮＢは、ＵＥが再構成メッセージの受信に成功したとみなし、例えば誤ってデコードされたＡＣＫの受信から１０ｍｓ以内に新しい構成を使用するであろう。しかしながら、ｅＮＢが新しい構成に切り替わっても、ＵＥは再構成メッセージを受信していないので、ＵＥは再構成されたＰＤＳＣＨ上でどんなデータも受信できないであろう。同様に、再構成が重要なアップリンクＬ１パラメータの再構成を含んでいた場合には、ｅＮＢは、どんなＵＬ送信であっても、それを受信する手立てを失うかも知れない。
【００１９】
ＵＴＲＡＮ（ＴＳ ＲＲＣ ２５．３３１）では、この同期問題を“起動時間（activation time）”（特定の接続フレーム番号：ＣＦＮの参照）によって解決している。この起動時間は、ＵＥがノードＢと完全に同時に新しい構成を確実に使用し始めることができるようにするために、ＲＲＣメッセージ内に含めることができる。構成メッセージがＵＥにより受信され、ＵＥが要求された再構成を発行する時間を有することができるように、参照されるＣＦＮは十分に遠い将来に発生するものであるべきである。動作が成功すれば、ＵＥ及びノードＢは、完全に同時に再構成された構成に切り替わる。
【００２０】
ＲＲＣメッセージは、無線リンク制御（ＲＬＣ）再送信が行われがちなので、起動時間は、メッセージの再送を許容するぐらいに十分に将来において設定されなければならない。例え平均的な再送信遅延が小さい場合であっても、何度か再送信を必要とする数パーセントのメッセージが存在する。起動時間は、ＵＴＲＡＮにおける同期再構成が比較的長い遅延を引き起こすことになる最悪のケースをカバーするように設定される必要がある。このことは、シグナリングのパフォーマンスに影響を与える。
【００２１】
よって、起動時間以外で、ＵＥにおける現在の構成に関する曖昧さが適切に排除されるようなＬＴＥにおける同期再構成のためのソリューションを提供する必要がある。
【発明の概要】
【００２２】
よって、本発明の目的とするところは、無線基地局とＵＥとの間のＲＲＣ手順の再構成の同期のための改善された手順を提供することである。
【００２３】
これは、ＵＥにより使用される新しい構成を、追加的なＵＥ識別子と関連づけることにより達成される。ＵＥは、通常は第１のＵＥ識別子により識別されるが、再構成メッセージにおいてＵＥが追加的なＵＥ識別子を有することが通知される。新しい構成が作動する場合、ＵＥは追加的なＵＥ識別子により識別される。よって、無線基地局が、ＵＥが要求に対して応答したことを検出すると、当該応答には追加的なＵＥ識別子が含まれており、無線基地局は、ＵＥが新しい構成を作動させたと判定できる。
【００２４】
本発明の第１の側面によれば、無線基地局が、ＵＥがいつ新しい構成を開始する準備ができたかを決定することができるようにするために、ユーザ機器（ＵＥ）及び無線基地局において無線リソースの再構成を作動させるための、該無線基地局における方法が提供される。ここで、再構成が行われるユーザ機器は、第１のＵＥ識別子によって識別可能である。当該方法では、ユーザ機器によって使用されるべき新しい構成を指示するための再構成メッセージであって、ユーザ機器のための第２のＵＥ識別子を含む再構成メッセージが送信される。ここで、第２のＵＥ識別子は新しい構成と関連づけられている。新しい構成を作動させ、ユーザ機器が第２のＵＥ識別子によって識別可能である旨の通知を受信する。ユーザ機器が第２のＵＥ識別子によって識別可能である旨の通知を受信した場合に、ユーザ機器が新しい構成において送受信を開始する準備が整っている。
【００２５】
本発明の第２の側面によれば、無線基地局が、ＵＥがいつ新しい構成を開始する準備ができたかを決定することができるようにするために、無線リソースの再構成をユーザ機器及び無線基地局において作動させるための、該ユーザ機器（ＵＥ）における方法が提供される。ここで、再構成が行われるユーザ機器は、第１のＵＥ識別子によって識別可能である。当該方法では、ユーザ機器によって使用されるべき新しい構成を指示するための再構成メッセージであって、ユーザ機器のための第２のＵＥ識別子を含む再構成メッセージが受信される。なお、第２のＵＥ識別子は、新しい構成と関連づけられている。ＵＥは新しい構成を作動させ、ユーザ機器が第２のＵＥ識別子によって識別可能である旨を無線基地局に通知する。
【００２６】
本発明の第３の側面によれば、無線基地局が、ＵＥがいつ新しい構成を開始する準備ができたかを決定することができるようにするために、ユーザ機器（ＵＥ）及び無線基地局において無線リソースの再構成を作動させるための無線基地局が提供される。なお、再構成が行われるユーザ機器は、第１のＵＥ識別子によって識別可能である。無線基地局は、ユーザ機器によって使用されるべき新しい構成を指示するための再構成メッセージであって、ユーザ機器のための識別子であって新しい構成と関連づけられた識別子である第２のＵＥ識別子を含む再構成メッセージを送信する送信器と、新しい構成を作動させるプロセッサユニットと、ユーザ機器が第２のＵＥ識別子によって識別可能である旨の通知を受信する受信器と、ユーザ機器が第２のＵＥ識別子によって識別可能である旨の通知を受信した場合に、ユーザ機器が新しい構成において送受信を開始する準備が整っていると判断するプロセッサユニットとを備える。
【００２７】
本発明の第４の側面によれば、無線基地局が、ＵＥがいつ新しい構成を開始する準備ができたかを決定することができるようにするために、無線リソースの再構成をユーザ機器及び無線基地局において作動させるためのユーザ機器（ＵＥ）が提供される。なお、再構成が行われるユーザ機器は、第１のＵＥ識別子によって識別可能である。ユーザ機器は、該ユーザ機器によって使用されるべき新しい構成を指示するための再構成メッセージであって、ユーザ機器のための識別子であって新しい構成と関連づけられた識別子である第２のＵＥ識別子を含む再構成メッセージを受信する受信器を備える。ユーザ機器は更に、新しい構成を作動させるプロセッサユニットと、ユーザ機器が第２のＵＥ識別子によって識別可能である旨を無線基地局に通知する送信器とを備える。
【００２８】
本発明の実施形態の効果は、再構成を同期させるための起動時間が必要ないので、ＵＥと無線基地局との両方において同時に使用されるようにするために、ネットワークはより少ない遅延で新しい構成を始動させることができる点である。特に本発明の実施形態によれば、起動時間を用いるソリューションとは異なり、再構成メッセージをＵＥが受信し処理したら直ちに新しい構成を作動させることができる。起動時間を用いる場合、起動時間は、ＵＥにおける最長の再構成遅延のみならず、再構成メッセージの送信の最悪の遅延よりも大きい値となるように設定されなければならない。作動遅延が短すぎると、ＵＥが準備完了するよりも前に無線基地局が新しい構成を使用し始めることがあり、これは潜在的に接続損失に繋がる。そこで、本発明の実施形態では、平均再構成遅延は、起動時間の利用と比較して減少される。更に、本発明の実施形態に従うソリューションは、より耐性があり、積極的過ぎる起動時間値による接続損失の危険はない。
【図面の簡単な説明】
【００２９】
【図１】従来技術に従うＲＲＣ再構成手順を示す図である。
【図２】本発明のある実施形態に従う再構成手順を示す図である。
【図３】本発明の別の実施形態に従う再構成手順を示す図である。
【図４】本発明の実施形態に従う方法のフローチャートである。
【図５】本発明の実施形態に従う方法のフローチャートである。
【図６】本発明の実施形態に従うＵＥと無線基地局の構成を示した図である。
【発明を実施するための形態】
【００３０】
本発明は、発明の好適な実施形態を示す添付の図面を参照してより詳細に説明される。しかしながら、本発明は、多くの種々の形態において実施されてもよく、ここで説明される実施形態に限定して解釈されるべきではない。むしろ、これらの実施形態は、本開示が完璧かつ完全となるように、また当業者に本発明の範囲を十分に伝えるように提供されている。全体を通じて、類似の番号は類似の要素を指す。
【００３１】
更に、当業者は理解するであろうが、以下に説明する手段及び機能は、プログラムされたマイクロプロセッサや汎用コンピュータと協働して動作するソフトウェアを利用して実現されてもよいし、ＡＳＩＣを利用して実現されてもよいし、その両方であってもよい。また、本発明は主として方法及び装置の形態において記述されるが、本発明はコンピュータ・プログラムや、コンピュータ・プロセッサ及びプロセッサと結合されたメモリを有するシステムとして実現してもよい。ここで、メモリは、本明細書で説明する機能を実行するための１以上のプログラムでエンコードされている。
【００３２】
従って、本発明は、ユーザ機器（ＵＥ）、無線基地局（ＲＢＳ）、及び、ＵＥとｅＮＢとの間で新しい構成を同期して作動させるための方法を提供する。本発明の方法及び構成を利用することで、ｅＮＢはＵＥが新しい構成を利用する準備がいつ整ったかを判定することができる。これは、ＵＥにより使用される新しい構成を、第２のＵＥ識別子と関連づけることにより実現される。ＵＥは、通常は、第１のＵＥ識別子により識別されるが、再構成メッセージにおいてＵＥが第２のＵＥ識別子も有することが通知される。新しい構成が作動される場合、ＵＥは第２のＵＥ識別子により識別される。よって、無線基地局がＵＥが第２のＵＥ識別子により識別可能であることを検出すると、無線基地局はＵＥが新しい構成を作動させたと判断できる。本発明の利用により、ｅＮＢは、再構成メッセージの送信における不確定性にかかわらず、ＵＥが新しい構成を使用することに成功したかどうかを推定することが可能となる。
【００３３】
ここで、元々の構成は“古い構成（旧構成）”として定義され、再構成された構成は、“新しい構成（新構成）”として定義される。
【００３４】
以下、本発明の実施形態をＬＴＥネットワークとの関連において記述する。しかしながら、当業者であれば、この実施形態がＬＴＥに限定されるものではなく、他の無線通信ネットワークにも適用可能であることを理解するであろう。
【００３５】
ここで図２を参照すると、ＬＴＥネットワークの無線基地局（ｅＮＢ）とＵＥが記載されている。ｅＮＢは、ＥＰＣ（Evolved Packet Core）ネットワークに接続されている。さらに、ＵＥは、セル内におけるＵＥの一意の識別子であるところのＣ−ＲＮＴＩとして例示された第１のＲＮＴＩ（Radio Network Temporary Identifier）により識別されている。第１のステップ２０１では、ｅＮＢはＲＲＣ接続再構成メッセージをＵＥに送信する。ＲＲＣ接続再構成メッセージは、新しい構成の指示と、新しい構成と関連づけられた第２のＣ−ＲＮＴＩを含む。ここで、第２のＣ−ＲＮＴＩはＵＥを新しい構成との関連で識別する。
【００３６】
第２のステップ２０２でＵＥは、ＵＥにおけるＲＲＣ再構成手順が完了する前に、再構成メッセージに対して確認応答するために、ＨＡＲＱフィードバックを送信してもよい。新しい構成は、ステップ２０３においてＵＥ内で作動され、ｅＮＢは、ステップ２０４において、第２のＣ−ＲＮＴＩを利用してＵＥをスケジューリングし、それによって新しい構成を作動させる。そして、ＵＥは、ＲＲＣ再構成完了メッセージをステップ２０６で送信する。ＲＲＣ構成完了メッセージは、この例では、新しい構成において送信される。しかしながら、ＲＲＣ再構成完了メッセージは、実際の再構成の前、或いは、後の何れにおいて送信されてもよい点に注意すべきである。このことは、いくつかの他のデータが並列に、或いは、ＲＲＣ構成完了メッセージの直前に送信されることを排除するものではない。もし、再構成の後に送信されると、ＲＲＣ構成完了メッセージは、新しい構成において送信された最初のデータ片の１つということになる。
【００３７】
また、ＵＥは、受信の成功の後或いは再構成メッセージのＦＡＲＱ確認応答の後、所定の時間（ミリ秒）後、或いは、所定のサブフレーム後に、再構成の使用を開始してもよい。このことは、ＵＥに再構成メッセージの内容を処理するための時間を保証し、ｅＮＢにＵＥにおける受信ステータスのフィードバックの受信を保証する。
【００３８】
上述のように、ＨＡＲＱフィードバックには受信エラーが起きるので、ゆえにｅＮＢは、構成メッセージの受信の成功及びＵＥにおける再構成手順の成功に関連した、ＵＥに期待されるステータスとＵＥの現実のステータスとの間のずれから復帰するためのメカニズムを提供する。ここでの復帰には、以下のｅＮＢの実施形態を含む。
【００３９】
１．ＮＡＣＫ−ｔｏ−ＡＣＫエラー：再構成メッセージがＵＥによって受信されていない。ｅＮＢはＵＥが“新しい”Ｃ−ＲＮＴＩでのスケジューリングに応答しないことを検知し、ＵＥとの接続を“古い”Ｃ−ＲＮＴＩでのスケジューリングにより復帰させてもよい。
【００４０】
２．ＡＣＫ−ｔｏ−ＮＡＣＫエラー：ｅＮＢはＵＥが古い構成を依然として使用していることを推測しているが、ＵＥは新しい構成を既に使用している。ＵＥが“古い”Ｃ−ＲＮＴＩに応答しない場合、ＵＥへの接続はｅＮＢにより“新しい”Ｃ−ＲＮＴＩでのＵＥへのスケジューリングにより修復される。
【００４１】
ＵＥが再構成メッセージを受信したが、当該メッセージがＵＥによって拒絶された場合、ＵＥは既に同意した手順きに従い、“古い”Ｃ−ＲＮＴＩを利用してアップリンク・リソースを要求するべきである。
【００４２】
上述のように、ステップ２０４では、ｅＮＢはスケジューリング・コマンドをＵＥに送信する。ここで、ＵＥは少なくとも第２のＲＮＴＩによって識別される。新しいＣ−ＲＮＴＩでのスケジューリングコマンドに対する応答を受信できるように、ステップ２０５においてｅＮＢは新しい構成を作動させる。ＵＥがステップ２０７において、このスケジューリング・コマンドに従う場合、ＵＥが新しい構成と関連づけられている第２のＲＮＴＩに応答するので、ｅＮＢはＵＥが新しい構成を起動していると判断することができ、新しい構成での送信がステップ２０８で開始できる。ｅＮＢは、ＵＥを両方のＲＮＴＩを用いてスケジューリングしてもよいが、ｅＮＢは、新しいＲＮＴＩでＵＥが応答する場合にのみ、再構成が成功したことを知ることができる。もし、両方のＲＮＴＩを利用する場合、ＵＥは１回に１つのＲＮＴＩに対して応答するかも知れない。もし、ＵＥが１回に１つのＲＮＴＩを使用するように構成されている場合、ＵＥは、第２のＲＮＴＩとそれに関連する構成の利用を開始していれば、第１のＲＮＴＩと関連するいかなるコマンドに対する応答も停止するであろう。もしＵＥがスケジューリング・コマンドに対して応答しない場合、ｅＮＢは“古い”ＲＮＴＩでのスケジューリングによりＵＥを復帰させるように試みることができる。この場合、ｅＮＢは古い構成を再度利用すべきである。復帰の必要性は、例えば、上述のＮＡＣＫ−ｔｏ−ＡＣＫエラーにおいて生じ得る。
【００４３】
複数のＣ−ＲＮＴＩ（各Ｃ−ＲＮＴＩは、上記特定の構成と関連づけられる）が同一のＵＥに割り当てられているアプローチは、ｅＮＢが明瞭にＵＥがどの構成を現在使用しているかを明確に推定することができるように、ＵＥの再構成をｅＮＢと同期させる手段を提供する。同一の結果は、１回に１つのＲＮＴＩを使用するＵＥによっても達成することができる。ここでは、ＵＥは、第２のＲＮＴＩの使用を開始すると、第１のＲＮＴＩを除去する。
【００４４】
ＵＥがいつ新しい構成の使用を開始したかのタイミングの不確定性を減少させる別の方法は、本発明の更なる実施形態において説明される。これらの実施形態は、ＵＥに、新しい構成の使用を開始する前に、図３に示す再構成メッセージと関連づけられたランダムアクセス手順のようなＵＥ主導手順を実行させるためのコマンド・メカニズムを導入する。即ち、ｅＮＢは、ステップ３０１において、ＲＲＣ再構成メッセージを送信する。当該メッセージは、新しい構成、該新しい構成と関連づけられた第２のＣ−ＲＮＴＩのような第２のＵＥ識別子、第２のＣ−ＲＮＴＩを利用したＵＥ主導手順実行のＵＥに対する要求を含む。もし、ＵＥがＲＲＣ再構成メッセージを正確にデコードした場合、ＵＥはステップ３０２において新しい構成を作動させ、ステップ３０３においてレイヤ２確認応答を送信する。ＵＥ主導手順の実行要求に応答して、ＵＥは、ＵＥ主導手順をステップ３０５において第２のＣ−ＲＮＴＩを利用して開始する。ｅＮＢがステップ３０６で、ＵＥが要求されたＵＥ主導手順を開始したことを検出すると、ｅＮＢはＵＥは新しい構成を使用する準備ができたと判定することができる。ＵＥ主導手順を検出する間、或いは、好ましくは検出の後、ｅＮＢはステップ３０４において新しい構成を作動させる。（一般に、ＵＥ主導手順（例えば、ＲＡＣＨ手順）は、ＲＮＴＩと関連づけられた実際の再構成とは独立である。即ち、ｅＮＢは、ＵＥによるＲＡ試行を受信する準備をしておけばよい。）新しい構成を利用して、ＵＥはステップ３０７においてレイヤ３（ＲＲＣ再構成完了メッセージ）確認応答を送信する。しかしながら、ＲＲＣ再構成完了メッセージは、実際の再構成の前、或いは、後の何れにおいて送信されてもよいことに注意すべきである。また、新しい構成でのＵＥとｅＮＢとの間での送信は、ステップ３０８により開始される。
【００４５】
このアプローチでは、ｅＮＢは、ＵＥがＵＥ主導手順を開始したことを検出すると、ＵＥが新しい構成を使用することを推定できる。即ち、ＵＥ主導手順がランダムアクセス手順である場合、ＵＥがランダム・アクセス・チャネル（ＲＡＣＨ）に現れると、ｅＮＢは、ＵＥがＵＥ主導手順を開始した（この場合ではまた、完了した）ことを検知する。
【００４６】
ｅＮＢは、非衝突(contention free)リソースをＲＡ試行に対して割り当ててもよい。本発明によれば、再構成メッセージ内のコマンドによるＲＡ手順が、ＵＥやｅＮＢにより開始された他のどのようなランダムアクセス試行とも区別できるように、新しい構成は第２のＵＥ識別子（例えば、第２のＣ−ＲＮＴＩ）と関連づけられる。
【００４７】
さらに、ＵＥは複数のＵＥ識別子（例えば、複数のＣ−ＲＮＴＩ）でスケジュールされるように構成されてもよい。このとき、複数のＵＥ識別子のそれぞれは、１つの構成と関連づけられる。従って、ＵＥは、各ＵＥ識別子と関連づけられた構成に対応するコマンドに従うように構成されてもよい。さらに、ｅＮＢは、複数ＵＥ構成をＵＥに対し構成、或いは、再構成してもよい。ここでは、各構成は、一意のＵＥ識別子と関連づけられる。
【００４８】
この場合、複数の識別子がＵＥに対して設定され、それぞれ独立の識別子と関連づけられる。そのような場合、ある構成が、他を再構成している場合に利用されてもよい。さらに、利用可能なＲＮＴＩを用いて、単純に許可を与えることにより、異なる構成間で切替を行うことも可能である。
【００４９】
図４及び図５のフローチャートに示されるように、本発明の実施形態は、ＵＥにおける方法及びｅＮＢにおける方法に関連する。当該方法は、ＵＥ及び無線基地局における無線リソース再構成の作動に関連する。ここでは、再構成がなされるＵＥは、第１のＵＥ識別子によって識別可能である。当該方法により、ｅＮＢはＵＥがいつ新しい構成を利用する準備ができたかを判定することができる。
【００５０】
図４に示す無線基地局における方法は、以下のステップを備える。
【００５１】
４０１：ＵＥにより使用されるべき新しい構成を指示する再構成メッセージを送信する。ここで、再構成メッセージは、ＵＥのための第２のＵＥ識別子を含み、当該第２のＵＥ識別子は新しい構成と関連づけられている。
【００５２】
４０２：新しい構成を作動させる。
【００５３】
４０３：ＵＥが第２のＵＥ識別子によって識別可能であることの通知を受信する。ここで、実施形態によっては、ステップ４０３はステップ４０２より前に実行されてもよい。
【００５４】
４０４：ＵＥが第２のＵＥ識別子によって識別可能であることの通知を受信した場合、ＵＥが新しい構成において送受信を開始する準備ができたと判定する。
【００５５】
ある実施形態では、ステップ４０３は、以下のステップを更に含む。
【００５６】
４０３ａ：少なくとも第２のＵＥ識別子を利用して、ＵＥに対してスケジューリング・コマンドを送信する。
【００５７】
４０３ｂ：第２のＵＥ識別子を含むスケジューリング・コマンドに対する応答を受信する。
【００５８】
更なる実施形態によれば、再構成メッセージは、ＵＥに対する、再構成と関連するＵＥ主導手順実行の要求を含む。また、ステップ４０３は、ＵＥ主導手順が開始されたことの通知を検出するステップ４０３ｃを含む。
【００５９】
図５に示すＵＥにおける方法は、以下のステップを備える。
【００６０】
５０１：ＵＥによって使用されるべき新しい構成を指示する再構成メッセージを受信する。ここで、再構成メッセージは、ＵＥのための第２のＵＥ識別子を含み、当該第２のＵＥ識別子は新しい構成と関連づけられている。
【００６１】
５０２：新しい構成を作動させる。
【００６２】
５０３：無線基地局に対し、ＵＥが第２のＵＥ識別子によって識別可能であることを通知する。
【００６３】
ある実施形態では、ステップ５０３は、以下のステップを更に含む。
【００６４】
５０３ａ：スケジューリング・コマンドを受信する。ここで、ＵＥは少なくとも第２のＵＥ識別子により識別される。
【００６５】
５０３ｂ：スケジューリング・コマンドに対する応答を送信する。
【００６６】
更なる実施形態によれば、再構成メッセージは、ＵＥに対する、再構成と関連するＵＥ主導手順実行の要求を含む。また、ステップ５０３は、再構成と関連するＵＥ主導手順を開始するステップ５０３ｃを含む。
【００６７】
このように、本発明の実施形態は、図６に示されるような無線基地局６０１（例えば、ｅＮＢ）及びＵＥ６００に関連する。再構成がなされるＵＥは、第１のＵＥ識別子により識別が可能である。無線基地局は、ＵＥによって使用されるべき新しい構成を示す再構成メッセージを送信するために、送信器を備える。ここで、再構成メッセージは、ＵＥのための第２のＵＥ識別子を含み、当該第２のＵＥ識別子は、新しい構成と関連づけられる。無線基地局は更に、新しい構成を作動させるためにプロセッサユニット６０４を備える。ＵＥは、再構成メッセージを受信するために受信器６０５を備える。さらに、ＵＥは、新しい構成を作動させるためにプロセッサユニット６０６を備え、ＵＥは、新しい構成を作動させたことにより第２のＵＥ識別子によって識別可能であることを無線基地局に対して通知するために、送信器６０７を備える。また、無線基地局は更に、ＵＥが第２のＵＥ識別子によって識別可能であることの通知を受信するための受信器６０３を備え、ＵＥが第２のＵＥ識別子により識別可能である旨の通知を受信した場合に、ＵＥが新しい構成を使用する準備ができていると判定するためのプロセッサユニット６０４を備える。
【００６８】
無線基地局の送信器６０２は、少なくとも第２のＵＥ識別子を利用してスケジューリング・コマンドをＵＥに対して送信するように更に構成され、ＵＥの受信器は、当該スケジューリング・コマンドを受信するように更に構成される。よって、無線基地局の受信器６０３は、第２のＵＥ識別子を伴うスケジューリング・コマンドに対する応答を受信するように構成され、ＵＥの送信器６０２は、スケジューリング・コマンドに対する応答を送信するように構成される。
【００６９】
無線基地局の送信器６０２は更に、少なくとも第２のＵＥ識別子を利用して、ＵＥにスケジューリング・コマンドを送信するように構成される。例えば、再構成メッセージに対する確認応答は、無線基地局においてＵＥから受信する。
【００７０】
ある実施形態によれば、再構成は、再構成と関連づけられたＵＥ主導手順の実行をＵＥに対して要求することを含む。この場合、ＵＥのプロセッサユニット６０６は、再構成と関連づけられたＵＥ主導手順を開始するように構成され、無線基地局の受信器６０３は、ＵＥ主導手順が開始されたことを検出するように構成される。
【００７１】
本発明は、上述の好適な実施形態に限定されるものではない。様々な代替物、修正及び均等物を利用することが可能である。よって、上記実施形態は、特許請求の範囲において定義される本発明の範囲を限定するものとして解釈されるべきではない。
【図１】
2011511552.tif 000003
【図２】
2011511552.tif 000004
【図３】
2011511552.tif 000005
【図４】
2011511552.tif 000006
【図５】
2011511552.tif 000007
【図６】
2011511552.tif 000008
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）及び無線基地局において無線リソースの再構成を作動させるための、該無線基地局における方法であって、再構成が行われる前記ユーザ機器は、第１のＵＥ識別子によって識別可能であり、
前記ユーザ機器によって使用されるべき新しい構成を指示するための再構成メッセージであって、前記ユーザ機器のための識別子であって前記新しい構成と関連づけられた識別子である第２のＵＥ識別子を含む再構成メッセージを送信する工程と、
前記新しい構成を作動させる工程と、
前記ユーザ機器が前記第２のＵＥ識別子によって識別可能である旨の通知を受信する工程と、
前記ユーザ機器が前記第２のＵＥ識別子によって識別可能である旨の通知を受信した場合に、前記ユーザ機器が前記新しい構成において送受信を開始する準備が整っていると判定する工程と
を備えることを特徴とする方法。
【請求項２】
前記通知を受信する工程は、
前記ユーザ機器に対して、少なくとも前記第２のＵＥ識別子を利用してスケジューリング・コマンドを送信する工程と、
前記第２のＵＥ識別子を伴う前記スケジューリング・コマンドに対する応答を受信する工程と
を含むことを特徴とする請求項１に記載の方法。
【請求項３】
前記ユーザ機器に対して、少なくとも前記第２のＵＥ識別子を利用してスケジューリング・コマンドを送信する工程は、前記再構成メッセージに対する確認応答を前記ユーザ機器から前記無線基地局が受信した場合に実行されることを特徴とする請求項２に記載の方法。
【請求項４】
前記ユーザ機器に対して、前記第２のＵＥ識別子を利用してスケジューリング・コマンドを送信する工程は、前記再構成メッセージに対する確認応答を前記ユーザ機器から前記無線基地局が受信してから所定時間が経過した後に実行されることを特徴とする請求項３に記載の方法。
【請求項５】
前記再構成メッセージは、前記ユーザ機器に対する、前記再構成と関連するユーザ機器主導の手順の実行要求を含み、
前記通知を受信する工程は、
前記ユーザ機器主導の手順が始まったことの通知を検出する工程
を含むことを特徴とする請求項１乃至４のいずれか１項に記載の方法。
【請求項６】
前記ユーザ機器主導の手順は、ランダムアクセス手順であることを特徴とする請求項５に記載の方法。
【請求項７】
前記再構成は、無線リソース制御プロトコル・メッセージにおいて送信されることを特徴とする請求項１乃至６のいずれか１項に記載の方法。
【請求項８】
前記第１のＵＥ識別子及び第２のＵＥ識別子は、無線ネットワーク一時識別子によって、それぞれ表されることを特徴とする請求項１乃至６のいずれか１項に記載の方法。
【請求項９】
無線リソースの再構成をユーザ機器及び無線基地局において作動させるための、該ユーザ機器（ＵＥ）における方法であって、再構成が行われる前記ユーザ機器は、第１のＵＥ識別子によって識別可能であり、
前記ユーザ機器によって使用されるべき新しい構成を指示するための再構成メッセージであって、前記ユーザ機器のための識別子であって前記新しい構成と関連づけられた識別子である第２のＵＥ識別子を含む再構成メッセージを受信する工程と、
前記新しい構成を作動させる工程と、
前記ユーザ機器が前記第２のＵＥ識別子によって識別可能である旨を前記無線基地局に通知する工程と、
を備えることを特徴とする方法。
【請求項１０】
前記通知する工程は、
スケジューリング・コマンドを受信する工程と、
前記スケジューリング・コマンドに対する応答を送信する工程と
を含み、
前記ユーザ機器は少なくとも前記第２のＵＥ識別子により識別されることを特徴とする請求項９に記載の方法。
【請求項１１】
前記再構成メッセージは、前記ユーザ機器に対する、前記再構成と関連するユーザ機器主導の手順の実行要求を含み、
前記通知する工程は、
前記再構成と関連づけられた前記ユーザ機器主導の手順を開始する工程
を含むことを特徴とする請求項９または１０に記載の方法。
【請求項１２】
前記ユーザ機器主導の手順は、ランダムアクセス手順であることを特徴とする請求項１１に記載の方法。
【請求項１３】
前記再構成は、無線リソース制御プロトコル・メッセージにおいて受信されることを特徴とする請求項９乃至１２のいずれか１項に記載の方法。
【請求項１４】
前記第１のＵＥ識別子及び第２のＵＥ識別子は、無線ネットワーク一時識別子によって、それぞれ表されることを特徴とする請求項９乃至１３のいずれか１項に記載の方法。
【請求項１５】
ユーザ機器（ＵＥ）及び無線基地局において無線リソースの再構成を作動させるための、該無線基地局であって、再構成が行われる前記ユーザ機器は、第１のＵＥ識別子によって識別可能であり、
前記ユーザ機器によって使用されるべき新しい構成を指示するための再構成メッセージであって、前記ユーザ機器のための識別子であって前記新しい構成と関連づけられた識別子である第２のＵＥ識別子を含む再構成メッセージを送信する送信器と、
前記新しい構成を作動させるプロセッサユニットと、
前記ユーザ機器が前記第２のＵＥ識別子によって識別可能である旨の通知を受信する受信器と、
前記ユーザ機器が前記第２のＵＥ識別子によって識別可能である旨の通知を受信した場合に、前記ユーザ機器が前記新しい構成において送受信を開始する準備が整っていると判定するプロセッサユニットと
を備えることを特徴とする無線基地局。
【請求項１６】
前記送信器は、前記ユーザ機器に対して、少なくとも前記第２のＵＥ識別子を利用してスケジューリング・コマンドを送信するように更に構成され、
前記受信器は、前記第２のＵＥ識別子を伴う前記スケジューリング・コマンドに対する応答を受信するように更に構成されている
ことを特徴とする請求項１５に記載の無線基地局。
【請求項１７】
前記送信器は、前記再構成メッセージに対する確認応答を前記ユーザ機器から前記無線基地局が受信した場合に、前記ユーザ機器に対して、前記第２のＵＥ識別子を利用してスケジューリング・コマンドを送信するように更に構成されていることを特徴とする請求項１６に記載の無線基地局。
【請求項１８】
前記送信器は、前記再構成メッセージに対する確認応答を前記ユーザ機器から前記無線基地局が受信してから所定時間が経過した後に、前記ユーザ機器に対して、少なくとも前記第２のＵＥ識別子を利用してスケジューリング・コマンドを送信するように更に構成されていることを特徴とする請求項１７に記載の無線基地局。
【請求項１９】
前記再構成メッセージは、前記ユーザ機器に対する、前記再構成と関連するユーザ機器主導の手順の実行要求を含み、
前記受信器は、前記ユーザ機器主導の手順が始まったことの通知を検出するように構成されていることを特徴とする請求項１５乃至１８のいずれか１項に記載の無線基地局。
【請求項２０】
前記ユーザ機器主導の手順は、ランダムアクセス手順であることを特徴とする請求項１９に記載の無線基地局。
【請求項２１】
前記再構成は、無線リソース制御プロトコル・メッセージにおいて送信されることを特徴とする請求項１５乃至２０のいずれか１項に記載の無線基地局。
【請求項２２】
前記第１のＵＥ識別子及び第２のＵＥ識別子は、無線ネットワーク一時識別子によって、それぞれ表されることを特徴とする請求項１５乃至２１のいずれか１項に記載の無線基地局。
【請求項２３】
無線リソースの再構成をユーザ機器及び無線基地局において作動させるための、該ユーザ機器（ＵＥ）であって、再構成が行われる前記ユーザ機器は、第１のＵＥ識別子によって識別可能であり、
前記ユーザ機器によって使用されるべき新しい構成を指示するための再構成メッセージであって、前記ユーザ機器のための識別子であって前記新しい構成と関連づけられた識別子である第２のＵＥ識別子を含む再構成メッセージを受信する受信器と、
前記新しい構成を作動させるプロセッサユニットと、
前記ユーザ機器が前記第２のＵＥ識別子によって識別可能である旨を前記無線基地局に通知する送信器と、
を備えることを特徴とするユーザ機器。
【請求項２４】
前記受信器は、スケジューリング・コマンドを受信するように更に構成され、
前記送信器は、前記スケジューリング・コマンドに対する応答を送信するように更に構成され、
前記ユーザ機器は少なくとも前記第２のＵＥ識別子により識別されることを特徴とする請求項２３に記載のユーザ機器。
【請求項２５】
前記再構成メッセージは、前記ユーザ機器に対する、前記再構成と関連するユーザ機器主導の手順の実行要求を含み、
前記プロセッサユニットは、前記再構成と関連づけられた前記ユーザ機器主導の手順を開始するように更に構成されていることを特徴とする請求項２３または２４に記載のユーザ機器。
【請求項２６】
前記ユーザ機器主導の手順は、ランダムアクセス手順であることを特徴とする請求項２５に記載のユーザ機器。
【請求項２７】
前記再構成は、無線リソース制御プロトコル・メッセージにおいて受信されることを特徴とする請求項２３乃至２６のいずれか１項に記載のユーザ機器。
【請求項２８】
前記第１のＵＥ識別子及び第２のＵＥ識別子は、無線ネットワーク一時識別子によって、それぞれ表されることを特徴とする請求項２３乃至２７のいずれか１項に記載のユーザ機器。
【国際調査報告】
2011511552.tif 000009
2011511552.tif 000010
2011511552.tif 000011